(57)【要約】【課題】  送信先の電話番号を誤入力した場合に、原稿から読み取った画像データが誤印刷されるのを抑制することができる画像形成装置を提供する。【解決手段】  電話回線へトーン信号として送出される数字０〜９を入力するための第１操作キーと、電話回線へは送出されない回線非送出符号を入力するための第２操作キーと、ＦＡＸ送信モード及び複写モードを切り替えるモード選択部と、原稿の読み取りを開始させるための第３操作キーと、第１操作キー及び第２操作キーを操作した後の第３操作キーの操作に基づいて、原稿の読み取りを開始し、画像データをＦＡＸ送信するＦＡＸ送信処理部と、第１操作キーを操作した後の第３操作キーの操作に基づいて、原稿の読み取りを開始し、画像データを印刷する複写処理部と、複写モードにおける第２操作キーの操作に基づいて、ユーザにモード確認を促す報知処理を実行するユーザ報知部により構成される。【選択図】  図５
2012253571.tif 000002
【特許請求の範囲】
【請求項１】
ファクシミリ送信機能及び複写機能を備えた画像形成装置において、
電話回線へトーン信号として送出される数字０〜９を入力するための第１操作キーと、
上記電話回線へは送出されない回線非送出符号を入力するための第２操作キーと、
ファクシミリ送信モード及び複写モードを切り替えるモード選択部と、
原稿の読み取りを開始させるための第３操作キーと、
上記ファクシミリ送信モードが選択されている場合に、第１操作キー及び第２操作キーを操作した後の第３操作キーの操作に基づいて、原稿の読み取りを開始し、上記数字により指定された送信先へ画像データをファクシミリ送信するファクシミリ送信処理部と、
上記複写モードが選択されている場合に、第１操作キーを操作した後の第３操作キーの操作に基づいて、原稿の読み取りを開始し、上記数字により指定された印刷部数に従って、画像データを記録用紙に印刷する複写処理部と、
上記複写モードが選択されている場合に、第２操作キーの操作に基づいて、ユーザにモード確認を促す第１報知処理を実行するユーザ報知部とを備えたことを特徴とする画像形成装置。
【請求項２】
上記ユーザ報知部は、上記ファクシミリ送信モードが選択されている場合に、第２操作キーが操作されることなく第３操作キーが操作されれば、ユーザにファクシミリ送信の可否を照会する第２報知処理を実行することを特徴とする請求項１に記載の画像形成装置。
【請求項３】
上記ファクシミリ送信処理部は、第３操作キーの操作時点までに第２操作キーの操作によってハイフンが上記回線非送出符号として入力された場合に、画像データのファクシミリ送信を行う一方、上記ハイフンが入力されることなく第３操作キーが操作された場合に、ユーザがファクシミリ送信を拒否すれば、画像データのファクシミリ送信を行わないことを特徴とする請求項２に記載の画像形成装置。
【請求項４】
上記ユーザ報知部は、第１報知処理として、上記複写モードが選択されていることを音声で通知することを特徴とする請求項１〜３のいずれかに記載の画像形成装置。
【発明の詳細な説明】
【技術分野】
【０００１】
本発明は、画像形成装置に係り、さらに詳しくは、ファクシミリ送信機能及び複写機能を備えた画像形成装置の改良に関する。
【背景技術】
【０００２】
複合機は、原稿から画像データを読み取り、記録用紙に印刷する複写モードと、電話回線を介して画像データを送信先へ送信するＦＡＸ（ファクシミリ）送信モードとを切り替えることができる。これらの動作モードでは、共通の操作キーが印刷部数と、送信先の電話番号を入力し、或いは、原稿の読み取りを開始させるのに用いられる。すなわち、複写モードでは、テンキーを操作して印刷部数を入力した後、スタートキーを操作すれば、原稿の読み取りが開始され、画像データが記録用紙に印刷される。また、ＦＡＸ送信モードでは、テンキーを操作して送信先の電話番号を入力した後、スタートキーを操作すれば、原稿の読み取りが開始され、電話回線を介して画像データが送信先へＦＡＸ送信される。通常、テンキーは、ＤＴＭＦ（Dial Tone Multi Frequency）と呼ばれるトーン信号として電話回線へ送出される数０〜９をそれぞれ入力するための１０個の操作キーからなる。
【０００３】
この様なＦＡＸ送信機能及び複写機能を備えた画像形成装置では、テンキー及びスタートキーが複写モード及びＦＡＸ送信モードのいずれの動作モードにおいても使用される共通の操作キーである。このため、複写モードが選択されていることに気付かずに、ＦＡＸ送信モードであると思って電話番号を誤入力し、スタートキーを操作すれば、大量のミスコピーが発生してしまうという問題があった。
【０００４】
そこで、テンキーを操作して入力された文字列の桁数に基づいて、当該文字列が印刷部数であるか、或いは、送信先の電話番号であるかを判別する技術が提案されている（例えば、特許文献１及び２）。また、特許文献２には、符号「＃」を検知し、符号「＃」を含む文字列が入力されれば、短縮ダイヤル番号であると判断することが記載されている。これらの技術を利用すれば、複写モードが選択されていることに気付かずに電話番号を誤入力したとしても、入力文字列が送信先の電話番号であることを正しく検知することができる。
【０００５】
しかしながら、送信先の電話番号が符号「＃」を用いない通常のダイヤル番号、すなわち、市外局番及び市内局番と加入者番号とからなる番号である場合、印刷部数の方が電話番号と比較して必ずしも桁数が小さいとは限らない。このため、上述した従来の画像形成装置では、入力文字列が印刷部数であるか、或いは、送信先の電話番号であるかを正しく識別できない場合があるという問題があった。
【先行技術文献】
【特許文献】
【０００６】
【特許文献１】特開平１０−２２９４６６号公報
【特許文献２】特開平１−３１７０７２号公報
【発明の概要】
【発明が解決しようとする課題】
【０００７】
本発明は、上記事情に鑑みてなされたものであり、複写モードが選択されていることに気付かずにファクシミリ送信の送信先を示す電話番号を誤入力した場合に、原稿から読み取った画像データが誤印刷されるのを抑制することができる画像形成装置を提供することを目的としている。特に、印刷部数及び電話番号の桁数に関わらず、入力文字列が送信先の電話番号であることを正しく検知してユーザに動作モードの確認を促すことができる画像形成装置を提供することを目的としている。
【課題を解決するための手段】
【０００８】
第１の本発明による画像形成装置は、ファクシミリ送信機能及び複写機能を備えた画像形成装置であって、電話回線へトーン信号として送出される数字０〜９を入力するための第１操作キーと、上記電話回線へは送出されない回線非送出符号を入力するための第２操作キーと、ファクシミリ送信モード及び複写モードを切り替えるモード選択部と、原稿の読み取りを開始させるための第３操作キーと、上記ファクシミリ送信モードが選択されている場合に、第１操作キー及び第２操作キーを操作した後の第３操作キーの操作に基づいて、原稿の読み取りを開始し、上記数字により指定された送信先へ画像データをファクシミリ送信するファクシミリ送信処理部と、上記複写モードが選択されている場合に、第１操作キーを操作した後の第３操作キーの操作に基づいて、原稿の読み取りを開始し、上記数字により指定された印刷部数に従って、画像データを記録用紙に印刷する複写処理部と、上記複写モードが選択されている場合に、第２操作キーの操作に基づいて、ユーザにモード確認を促す第１報知処理を実行するユーザ報知部とを備えて構成される。
【０００９】
この画像形成装置では、ファクシミリ送信モードが選択されていれば、第１操作キー及び第２操作キーを操作した後の第３操作キーの操作によって、原稿の読み取りが開始され、画像データがファクシミリ送信される。また、複写モードが選択されていれば、第１操作キーを操作した後の第３操作キーの操作によって、原稿の読み取りが開始され、画像データが記録用紙に印刷される。そして、複写モードが選択されている場合には、第２操作キーの操作によって、ユーザにモード確認を促す第１報知処理が実行される。つまり、送信先の電話番号を入力する際には、数字１〜９及び０だけでなく回線非送出符号を入力し、印刷部数を入力する際には、数字１〜９及び０だけを入力するものと予め定めておけば、複写モード時に回線非送出符号が入力されれば、電話番号の誤入力であると判断することができる。このため、複写モードが選択されていることに気付かずに、ファクシミリ送信の送信先を示す電話番号を誤入力した場合に、入力文字列が送信先の電話番号であることを正しく検知してユーザに動作モードの確認を促すことができる。特に、回線非送出符号の有無によって電話番号の誤入力であるか否かを判別するので、印刷部数及び電話番号の桁数に関わらず、入力文字列が送信先の電話番号であることを正しく検知することができる。また、送信先の電話番号を入力する際には通常のダイヤル番号に回線非送出符号を付加するように定めておくだけで、画像データのファクシミリ送信に影響を与えることなく、電話番号の誤入力を正しく検知することができる。
【００１０】
第２の本発明による画像形成装置は、上記構成に加え、上記ユーザ報知部が、上記ファクシミリ送信モードが選択されている場合に、第２操作キーが操作されることなく第３操作キーが操作されれば、ユーザにファクシミリ送信の可否を照会する第２報知処理を実行するように構成される。
【００１１】
ファクシミリ送信モード時において、回線非送出符号が入力されないまま第３操作キーが操作された場合、印刷部数の誤入力である可能性がある。この画像形成装置では、その様な場合にユーザにファクシミリ送信の可否を照会するので、ファクシミリ送信モードであることに気付かずに、複写用の印刷部数を誤入力した場合に、ファクシミリ送信を中止させることができる。
【００１２】
第３の本発明による画像形成装置は、上記構成に加え、上記ファクシミリ送信処理部が、第３操作キーの操作時点までに第２操作キーの操作によってハイフンが上記回線非送出符号として入力された場合に、画像データのファクシミリ送信を行う一方、上記ハイフンが入力されることなく第３操作キーが操作された場合に、ユーザがファクシミリ送信を拒否すれば、画像データのファクシミリ送信を行わないように構成される。
【００１３】
この画像形成装置では、ファクシミリ送信モード時にハイフンを用いて電話番号が入力されれば、原稿から読み取った画像データのファクシミリ送信が行われる。一方、ハイフンが入力されなければ、ファクシミリ送信の可否が照会され、ユーザがファクシミリ送信を拒否すれば、画像データのファクシミリ送信が行われない。このため、ファクシミリ送信モードであることに気付かずに、複写用の印刷部数を誤入力した場合に、ファクシミリ送信を容易に中止させることができる。
【００１４】
第４の本発明による画像形成装置は、上記構成に加え、上記ユーザ報知部が、第１報知処理として、上記複写モードが選択されていることを音声で通知するように構成される。この様な構成によれば、動作モードの表示に気付かないユーザであっても、複写モードであることを認識させることができる。
【発明の効果】
【００１５】
本発明による画像形成装置では、複写モード時に回線非送出符号が入力されれば、電話番号の誤入力であると判断することができる。このため、複写モードが選択されていることに気付かずに、ファクシミリ送信の送信先を示す電話番号を誤入力した場合に、入力文字列が送信先の電話番号であることを正しく検知してユーザに動作モードの確認を促すことができる。特に、回線非送出符号の有無によって電話番号の誤入力であるか否かを判別するので、印刷部数及び電話番号の桁数に関わらず、入力文字列が送信先の電話番号であることを正しく検知することができる。従って、複写モードが選択されていることに気付かずにファクシミリ送信の送信先を示す電話番号を誤入力した場合に、原稿から読み取った画像データが誤印刷されるのを抑制することができる。
【図面の簡単な説明】
【００１６】
【図１】本発明の実施の形態による画像形成装置の一構成例を示した図であり、画像形成装置の一例としてＭＦＰ１００が示されている。
【図２】図１のＭＦＰ１００内の機能構成の一例を示したブロック図である。
【図３】図１のＭＦＰ１００における複写モード時の動作の一例を示した図であり、電話番号を示す文字列が誤入力された場合の確認画面１３２が示されている。
【図４】図１のＭＦＰ１００におけるＦＡＸ送信モード時の動作の一例を示した図であり、文字列中にハイフンが入力されなかった場合の確認画面１３４が示されている。
【図５】図２のＭＦＰ１００における複写モード時の動作の一例を示したフローチャートである。
【図６】図２のＭＦＰ１００におけるＦＡＸ送信モード時の動作の一例を示したフローチャートである。
【発明を実施するための形態】
【００１７】
＜ＭＦＰ１００＞
図１は、本発明の実施の形態による画像形成装置の一構成例を示した図であり、画像形成装置の一例としてＭＦＰ１００が示されている。図中の（ａ）は、ＭＦＰ１００の斜視図であり、（ｂ）には、ＭＦＰ１００の操作パネル１０が示されている。
【００１８】
このＭＦＰ（Multifunction Peripheral：複合機）１００は、複写機能、ＦＡＸ機能及びスキャナ機能を有し、これらの機能を選択的に実行させることができる画像形成装置であり、操作パネル１０が設けられている。操作パネル１０には、操作キー１１，１４〜１８、インジケータ１２及びディスプレイ１３が配置されている。
【００１９】
操作キー１１は、複写モード、ＦＡＸ送信モード及びスキャナモードのいずれかを選択するためのモード選択キーであり、これらの動作モードを択一的に選択することができる。インジケータ１２は、操作キー１１を操作することによって選択された動作モードを示すためのＬＥＤ（発光ダイオード）表示部である。この例では、操作キー１１及びインジケータ１２が、上記動作モードごとに設けられ、所望の動作モードを直接に選択することができる。
【００２０】
ディスプレイ１３は、操作情報、動作状態などを画面表示する画面表示部であり、例えば、タッチパネルセンサを備えた液晶ディスプレイからなる。操作キー１４は、電話回線へトーン信号として送出される回線送出符号を入力するための操作キーであり、テンキー、アスタリスク入力キー及びシャープ入力キーからなる。テンキーは、数字０〜９をそれぞれ入力するための１０個の操作キーからなる。アスタリスク入力キーは、アスタリスク記号「＊」を入力するための操作キーであり、シャープ入力キーは、シャープ記号「＃」を入力するための操作キーである。
【００２１】
操作キー１５は、ハイフン記号「‐」を入力するための操作キーである。ハイフン記号「‐」は、電話回線へは送出されない回線非送出符号であり、電話番号を示す文字列をディスプレイ１３上に表示する際に、区切り記号として表示される。この様な回線非送出符号としては、ハイフン記号「‐」の他に、例えば、スラッシュ記号「／」、カンマ記号「，」、括弧記号「（」又は「）」がある。
【００２２】
操作キー１６は、印刷条件などの設定情報をリセットし、或いは、入力情報をクリアするための操作キーである。操作キー１７は、原稿の読み取りを開始させるためのスタートキーであり、操作キー１８は、原稿読み取りなどの処理を中断又は中止させるためのストップキーである。
【００２３】
図２は、図１のＭＦＰ１００内の機能構成の一例を示したブロック図である。このＭＦＰ１００は、キー入力部２１、モード選択部２２、ＦＡＸ制御部２３、読取部２４、回線制御部２５、複写制御部２６、印刷部２７、表示制御部２８、ユーザ報知部２９及びスピーカ３０により構成される。
【００２４】
キー入力部２１は、操作キー１４〜１８の操作に基づいて、所定の入力信号を生成し、ＦＡＸ制御部２３、複写制御部２６、表示制御部２８及びユーザ報知部２９へ出力する。モード選択部２２は、操作キー１１の操作に基づいて、複写モード及びＦＡＸ送信モードのいずれかに動作モードを切り替え、モード選択情報をＦＡＸ制御部２３、複写制御部２６、表示制御部２８及びユーザ報知部２９へ出力する。
【００２５】
ＦＡＸ制御部２３、読取部２４及び回線制御部２５は、ＦＡＸ送信処理部であり、ＦＡＸ送信モードが選択されている場合に、操作キー１４及び１５を操作した後の操作キー１７の操作に基づいて、原稿の読み取りを開始し、読み取った画像データをＦＡＸ送信する。原稿から読み取った画像データは、操作キー１４を操作することによって入力された複数の数字又は記号からなる文字列（電話番号）で指定された送信先へ、電話回線を介して送信される。
【００２６】
読取部２４は、原稿を光学的に読み取って画像データを生成し、ＦＡＸ制御部２３又は複写制御部２６へ出力する。回線制御部２５は、入力文字列をトーン信号に変換し、電話回線を介して交換機へ送信することにより、送信先の通信機器と接続する。その際、入力文字列中のハイフン（‐）は無視され、回線送出符号のみトーン信号として送出される。ＦＡＸ制御部２３は、読取部２４に対し原稿の読み取りを指示し、回線制御部２５に対し画像データの送信を指示する。
【００２７】
ここで、ＦＡＸ送信の送信先を示す電話番号を入力する際には、数字０〜９だけでなくハイフン記号「‐」が入力される。このハイフン記号「‐」は、回線非送出符号であることから、電話番号を示す文字列に対し任意の位置に配置しても良いが、ここでは、市外局番及び市内局番の間と、市内局番及び加入者番号の間にそれぞれ区切り記号として配置される。
【００２８】
複写制御部２６、読取部２４及び印刷部２７は、複写処理部であり、複写モードが選択されている場合に、操作キー１４を操作した後の操作キー１７の操作に基づいて、原稿の読み取りを開始し、読み取った画像データを記録用紙に印刷する。原稿から読み取った画像データは、操作キー１４を操作することによって入力された１又は２以上の数字からなる文字列で指定された印刷部数に従って、印刷処理が実行される。
【００２９】
印刷部数は、ページ単位で画像データを記録用紙に印刷する際のページごとの印刷枚数である。例えば、Ｍ枚の原稿を読み取って得られるＭページ分の画像データをそれぞれ記録用紙に印刷することにより、Ｍ枚の記録用紙からなる冊子を複製として作成する場合、印刷部数がＮであれば、その様な冊子をＮ個作成するために、各ページの画像データがＮ枚の記録用紙に印刷される。
【００３０】
印刷部２７は、画像データを所定の記録用紙に印刷する。複写制御部２６は、読取部２４に対し原稿の読み取りを指示し、印刷部２７に対し画像データの印刷を指示する。ここで、印刷部数を入力する際には、数字０〜９だけが入力される。
【００３１】
表示制御部２８は、ディスプレイ１３を制御し、操作情報及び動作状態を画面上に表示する。例えば、ＦＡＸ送信モードでは、所定のＦＡＸ待機画面がディスプレイ１３上に表示され、送信先の電話番号として入力された文字列がＦＡＸ待機画面内に表示される。また、複写モードでは、所定のコピー待機画面がディスプレイ１３上に表示され、印刷部数として入力された文字列がコピー待機画面内に表示される。
【００３２】
ユーザ報知部２９は、複写モードが選択されている場合に、操作キー１５の操作に基づいて、ユーザにモード確認を促すための第１報知処理を実行する。つまり、複写モードであるにもかかわらず、ハイフン（‐）が入力されれば、電話番号が誤入力されたと判断し、ユーザに対し、動作モードの確認が促される。この様な第１報知処理としては、例えば、複写モードである旨のメッセージを配置した所定の確認画面を表示するとともに、複写モードが選択されていることをスピーカ３０から音声で通知する。
【００３３】
ユーザ報知部２９では、ＦＡＸ送信モードが選択されている場合に、操作キー１５が操作されることなく操作キー１７が操作されれば、ユーザにＦＡＸ送信の可否を照会するための第２報知処理が実行される。つまり、ＦＡＸ送信モードであるにもかかわらず、操作キー１７の操作時点までにハイフン（‐）が入力されなければ、印刷部数が誤入力されたか、或いは、ハイフン（‐）を入力し忘れたと判断し、ユーザに対し、ＦＡＸ送信しても良いかどうかが照会される。この様な第２報知処理としては、例えば、ＦＡＸ送信するか否かを選択するための選択ボタンを配置した所定の確認画面を表示する。
【００３４】
ＦＡＸ送信処理は、操作キー１７の操作時点までに操作キー１５の操作によってハイフン（‐）が入力された場合、操作キー１７の操作によって直ちに実行される。一方、ハイフン（‐）が入力されることなく操作キー１７が操作された場合には、操作キー１７の操作に基づいて確認画面が表示され、ユーザがＦＡＸ送信を拒否すれば、ＦＡＸ送信処理は実行されない。
【００３５】
＜複写モード時の確認画面＞
図３は、図１のＭＦＰ１００における複写モード時の動作の一例を示した図であり、電話番号を示す文字列が誤入力された場合の確認画面１３２が示されている。図中の（ａ）には、コピー待機画面１３１が示され、（ｂ）には、コピー待機画面１３１上に表示された確認画面１３２が示されている。
【００３６】
コピー待機画面１３１は、印刷部数を入力するための入力欄３１が配置された入力画面である。テンキーを操作して印刷部数を示す文字列、例えば、「１２３」を入力した後、スタートキーを操作すれば、複写処理が実行される。
【００３７】
確認画面１３２は、複写モードにおいて、ハイフン（‐）が入力されれば表示される警告画面である。例えば、テンキーを操作して文字列「０３」を入力した後、操作キー１５を操作してハイフン（‐）を入力すれば、当該操作キー１５の操作に基づいて、確認画面１３２が表示される。この確認画面１３２は、例えば、コピー待機画面１３１上に表示され、複写モードであることを示すメッセージと、ＦＡＸ送信モードへ切り替えるか否かを選択するための選択ボタン３２，３３が配置されている。
【００３８】
選択ボタン３２は、ＦＡＸ送信モードへ切り替えるための操作アイコンであり、この選択ボタン３２を操作すれば、ＦＡＸ送信モードへ動作モードが切り替えられる。その際、入力済みの文字列は、そのまま送信先を示す電話番号の一部として用いられる。一方、選択ボタン３３を操作すれば、入力済みの文字列はクリアされ、コピー待機画面１３１の表示状態へ復帰する。
【００３９】
＜ＦＡＸ送信モード時の確認画面＞
図４は、図１のＭＦＰ１００におけるＦＡＸ送信モード時の動作の一例を示した図であり、文字列中にハイフンが入力されなかった場合の確認画面１３４が示されている。図中の（ａ）には、ＦＡＸ待機画面１３３が示され、（ｂ）には、ＦＡＸ待機画面１３３上に表示された確認画面１３４が示されている。
【００４０】
ＦＡＸ待機画面１３３は、送信先の電話番号を入力するための入力欄４１が配置された入力画面である。テンキーを操作して送信先の電話番号を示す文字列を入力した後、スタートキーを操作すれば、ＦＡＸ送信処理が実行される。電話番号を示す文字列を入力する際には、市外局番「０３」と市内局番「１２３４」との間、及び、市内局番と加入者番号「５６７８」との間にそれぞれハイフン（‐）が入力される。
【００４１】
確認画面１３４は、ＦＡＸ送信モードにおいて、スタートキーの操作時点までにハイフン（‐）が入力されなかった場合に表示される警告画面である。例えば、テンキーを操作して文字列「０３１２３４５６７８」を入力した後、スタートキーを操作すれば、当該スタートキーの操作に基づいて、確認画面１３４が表示される。
【００４２】
この確認画面１３４は、例えば、ＦＡＸ待機画面１３３上に表示され、ＦＡＸ送信モードであることを示すメッセージと、ＦＡＸ送信の可否を選択するための選択ボタン４２，４３が配置されている。
【００４３】
選択ボタン４２は、ＦＡＸ送信を許可するための操作アイコンであり、この選択ボタン４２を操作すれば、ＦＡＸ送信処理が実行される。一方、選択ボタン４３を操作すれば、入力済みの文字列はクリアされ、ＦＡＸ待機画面１３３の表示状態へ復帰する。
【００４４】
図５のステップＳ１０１〜Ｓ１１１は、図２のＭＦＰ１００における複写モード時の動作の一例を示したフローチャートである。まず、複写制御部２６は、複写モード用の待機画面の表示中にキー入力を受け付ければ、入力文字の種類をチェックする（ステップＳ１０１）。そして、複写制御部２６は、入力された文字が番号であれば、印刷部数を示す文字列の一部であると判断してその値を記憶し、ステップＳ１０１の処理手順を繰り返す（ステップＳ１０２，Ｓ１０７）。
【００４５】
一方、ユーザ報知部２９は、入力された文字がハイフン（‐）であれば、ＦＡＸ送信の送信先を示す電話番号の誤入力であると判断し、ユーザに動作モードの確認を促すための報知処理を実行する（ステップＳ１０２〜Ｓ１０４）。この報知処理では、所定の確認画面が待機画面上に表示され、ＦＡＸ送信モードへ切り替えるか否かがユーザに照会される（ステップＳ１０５）。
【００４６】
確認画面上の選択ボタン３２が操作されれば、動作モードはＦＡＸ送信モードへ切り替えられる（ステップＳ１０６）。一方、選択ボタン３３が操作されれば、入力済みの文字列はクリアされ、この処理は終了する。
【００４７】
次に、複写制御部２６は、スタートキー（操作キー１７）が操作されれば（ステップＳ１０２，Ｓ１０３，Ｓ１０８）、入力済みの文字列を印刷部数として複写処理を実行する（ステップＳ１０９）。また、複写制御部２６は、ストップキー（操作キー１８）又はリセットキー（操作キー１６）が操作されれば、入力済みの文字列をクリアしてこの処理を終了する（ステップＳ１０８，Ｓ１１０，Ｓ１１１）。
【００４８】
図６のステップＳ２０１〜Ｓ２１４は、図２のＭＦＰ１００におけるＦＡＸ送信モード時の動作の一例を示したフローチャートである。まず、ＦＡＸ制御部２３は、ＦＡＸ送信モード用の待機画面の表示中にキー入力を受け付ければ、入力文字の種類をチェックする（ステップＳ２０１）。そして、ＦＡＸ制御部２３は、入力された文字が番号であれば、送信先を示す電話番号の一部であると判断してその値を記憶し、ステップＳ２０１の処理手順を繰り返す（ステップＳ２０２，Ｓ２０６）。
【００４９】
一方、ユーザ報知部２９は、入力された文字がハイフン（‐）であれば、ＦＡＸ送信の送信先を示す電話番号が入力されていると判断し、電話番号に入力ミスがないかを確認するための確認画面を待機画面上に表示する（ステップＳ２０２〜Ｓ２０４）。この確認画面では、電話番号の入力を継続させるか、或いは、入力済みの文字列をクリアして待機画面に復帰させるかがユーザに照会される（ステップＳ２０５）。
【００５０】
このとき、ユーザが入力継続を選択すれば、ＦＡＸ制御部２３は、ステップＳ２０１の処理手順を繰り返す。一方、待機画面への復帰が選択されれば、ＦＡＸ制御部２３は、入力済みの文字列をクリアしてこの処理を終了する。
【００５１】
次に、ＦＡＸ制御部２３は、スタートキー（操作キー１７）が操作されれば（ステップＳ２０２，Ｓ２０３，Ｓ２０７）、入力済みの文字列をチェックする（ステップＳ２０８）。そして、ＦＡＸ制御部２３は、文字列中にハイフン（‐）が含まれていれば、送信先の電話番号が正しく入力されていると判断し、ＦＡＸ送信処理を実行する（ステップＳ２０９，Ｓ２１０）。
【００５２】
一方、ユーザ報知部２９は、文字列中にハイフン（‐）が含まれていなければ、印刷部数を誤って入力した可能性があると判断し、ユーザにＦＡＸ送信の可否を照会するための確認画面を表示する（ステップＳ２１３）。このとき、ＦＡＸ制御部２３は、ユーザがＦＡＸ送信を許可すれば、ＦＡＸ送信処理を実行し（ステップＳ２１４，Ｓ２１０）、ＦＡＸ送信を許可しなければ、入力済みの文字列をクリアしてこの処理を終了する。
【００５３】
また、ＦＡＸ制御部２３は、ストップキー（操作キー１８）又はリセットキー（操作キー１６）が操作されれば、入力済みの文字列をクリアしてこの処理を終了する（ステップＳ２０２，Ｓ２０３，Ｓ２０７，Ｓ２１１，Ｓ２１２）。
【００５４】
本実施の形態によれば、ＦＡＸ送信モードが選択されていれば、操作キー１４，１５を操作した後の操作キー１７の操作によって、原稿の読み取りが開始され、画像データがＦＡＸ送信される。また、複写モードが選択されていれば、操作キー１４を操作した後の操作キー１７の操作によって、原稿の読み取りが開始され、画像データが記録用紙に印刷される。そして、複写モードが選択されている場合には、操作キー１５の操作によって、ユーザにモード確認を促す報知処理が実行される。このため、複写モードが選択されていることに気付かずに、ＦＡＸ送信の送信先を示す電話番号を誤入力した場合に、入力文字列が送信先の電話番号であることを正しく検知してユーザに動作モードの確認を促すことができる。
【００５５】
また、ＦＡＸ送信モード時において、ハイフン（‐）が入力されないまま操作キー１７が操作された場合には、ユーザにＦＡＸ送信の可否を照会するので、ＦＡＸ送信モードであることに気付かずに、複写用の印刷部数を誤入力した場合に、ＦＡＸ送信を中止させることができる。特に、ＦＡＸ送信モード時にハイフン（‐）を用いて電話番号が入力されれば、原稿から読み取った画像データのＦＡＸ送信が行われる一方、ハイフン（‐）が入力されなければ、ＦＡＸ送信の可否が照会される。このとき、ユーザがＦＡＸ送信を拒否すれば、画像データのＦＡＸ送信が行われないので、ＦＡＸ送信モードであることに気付かずに印刷部数を誤入力した場合に、ＦＡＸ送信を容易に中止させることができる。
【００５６】
なお、本実施の形態では、回線非送出符号としてハイフン記号「‐」が送信先の電話番号を示す文字列と共に入力される場合の例について説明したが、他の回線非送出符号を入力させるものも本発明には含まれる。例えば、スラッシュ記号「／」を送信先の電話番号を示す文字列と共に入力させ、文字列中にスラッシュ（／）が含まれているか否かによって、入力文字列が送信先の電話番号であるか、或いは、複写用の印刷部数であるかを判別するような構成であっても良い。
【００５７】
また、本実施の形態では、複写モード時にハイフン（‐）を入力するための操作キー１５が操作されれば、操作キー１５の操作時点で、ユーザにモード確認を促す報知処理が実行される場合の例について説明した。しかしながら、本発明は、ユーザに動作モードの確認を促すための報知処理を実行するタイミングをこれに限定するものではない。例えば、入力情報を確定させるための確定キーを有する画像形成装置の場合、確定キーを操作した時点で、それまでにハイフン（‐）が入力されていたか否かを判別し、その判別結果に基づいて報知処理を実行するような構成であっても良い。或いは、スタートキー（操作キー１７）を操作した時点で、それまでにハイフン（‐）が入力されていたか否かを判別し、その判別結果に基づいて報知処理を実行するような構成であっても良い。
【符号の説明】
【００５８】
１００  ＭＦＰ
１０  操作パネル
１１，１４〜１８  操作キー
１２  インジケータ
１３  ディスプレイ
１３１  コピー待機画面
１３２  確認画面
１３３  ＦＡＸ待機画面
１３４  確認画面
２１  キー入力部
２２  モード選択部
２３  ＦＡＸ制御部
２４  読取部
２５  回線制御部
２６  複写制御部
２７  印刷部
２８  表示制御部
２９  ユーザ報知部
３０  スピーカ
【図１】
2012253571.tif 000003
【図２】
2012253571.tif 000004
【図３】
2012253571.tif 000005
【図４】
2012253571.tif 000006
【図５】
2012253571.tif 000007
【図６】
2012253571.tif 000008